(57)【要約】  水耕栽培装置（１００）は、植物（１０）に供給される養液（５０）が流れる流路を構成する栽培槽（１０６）と、養液（５０）を貯留する養液槽（１０８）と、養液槽（１０８）から栽培槽（１０６）へ養液（５０）を導く供給流路（１０９）と、栽培槽（１０６）から養液槽（１０８）へ養液（５０）を導く排出流路（１１０）と、供給流路（１０９）および排出流路（１１０）を経由して、養液槽（１０８）と栽培槽（１０６）との間で養液（５０）を循環させるポンプ（１０７）と、を備え、供給流路（１０９）は、供給流路（１０９）の外部空間と供給流路（１０９）の内部空間とを連通させる通気経路（ＶＰ）を有し、通気経路（ＶＰ）は、供給流路（１０９）から栽培槽（１０６）へ流れ込む養液（５０）の流速の変化を抑制する。
2019116999.tif 000002
【特許請求の範囲】
【請求項１】
植物に供給される養液が流れる流路を構成する栽培槽と、
前記養液を貯留する養液槽と、
前記養液槽から前記栽培槽へ前記養液を導く供給流路と、
前記栽培槽から前記養液槽へ前記養液を導く排出流路と、
前記供給流路および前記排出流路を経由して、前記養液槽と前記栽培槽との間で前記養液を循環させるポンプと、を備え、
前記供給流路は、前記供給流路の外部空間と前記供給流路の内部空間とを連通させる通気経路を有し、
前記通気経路は、前記供給流路から前記栽培槽へ流れ込む前記養液の流速の変化を抑制する、水耕栽培装置。
【請求項２】
前記栽培槽は、複数あり、
前記供給流路は、前記養液槽から複数の前記栽培槽のそれぞれへ前記ポンプによって前記養液を導くように、幹流路と前記幹流路から分岐した複数の枝流路とを有し、
前記通気経路は、前記複数の枝流路のそれぞれ設けられた、請求項１に記載の水耕栽培装置。
【請求項３】
前記栽培槽の内側には、前記植物の地下部を支持するように設けられた支持部をさらに備え、
前記支持部は、前記植物から延びる根が前記養液に到達するように設けられた根貫通孔と、前記供給流路の先端部が挿入されるように設けられた流路貫通孔とを有する、請求項１または２に記載の水耕栽培装置。
【請求項４】
前記支持部は、前記根貫通孔の周辺の載置領域と、前記流路貫通孔の周辺の孔周辺領域と、を含み、
少なくとも前記孔周辺領域が透明材料で構成されている、請求項３に記載の水耕栽培装置。
【請求項５】
前記支持部は、前記根貫通孔の周辺の載置領域と、前記流路貫通孔の周辺の孔周辺領域と、を含み、
前記孔周辺領域が前記孔周辺領域以外の領域に対して開閉可能な扉構造を有している、請求項３に記載の水耕栽培装置。
【請求項６】
前記栽培槽の内部において、前記植物の一部または前記植物から離反した前記植物の一部の組織が前記供給流路の先端開口から前記供給流路の内部へ進入することを抑制するフィルタをさらに備えた、請求項１〜５のいずれかに記載の水耕栽培装置。
【請求項７】
前記供給流路は、前記供給流路を流れる前記養液の流量を調整する流量調節部を含み、
前記通気経路は、前記供給流路における前記流量調節部の下流に設けられた、請求項１〜６のいずれかに記載の水耕栽培装置。
【発明の詳細な説明】
【技術分野】
【０００１】
本開示は、土壌を用いずに植物を栽培する水耕栽培装置に関する。
【背景技術】
【０００２】
従来から、養液が流れる栽培槽内において植物の根を養液に浸しながら、植物を育成する水耕栽培装置が開発されている。このような水耕栽培装置においては、たとえば、特許文献１に開示されているように、供給流路および排出流路を経由して、植物の地下部を内包する栽培槽と養液を貯留する養液槽との間で養液をポンプによって循環させるものがある。
【先行技術文献】
【特許文献】
【０００３】
【特許文献１】特開２０１７−２９１４４号公報
【発明の概要】
【発明が解決しようとする課題】
【０００４】
本願の開示者らは、水耕栽培の実験を行う間に、植物の適切な育成のためには、供給流路から栽培槽へ流れ込む養液の流速がほぼ一定値に維持されていることが好ましいことに気付いた。その理由の一つは、栽培槽内へ供給される養液の流速が小さすぎると、根に必要な量の養液を与えることができないからである。また、その理由の他の一つは、栽培槽内へ供給される養液の流速が大きすぎると、栽培槽内で液面が上昇し、養液が栽培槽から溢れ出たり、根だけでなく、養液に浸ることが好ましくない植物の他の部分までも、養液に浸ってしまったりするためである。【０００５】
しかしながら、従来の水耕栽培装置によれば、供給流路から栽培槽へ流れ込む養液の流速を安定させるための措置が何ら講じられていないため、供給流路から栽培槽へ流れ込む養液の流速が大きくばらつくことがある。【０００６】
本開示は、上述のような従来技術の有する課題に鑑みてなされたものである。そして、本開示の目的は、供給流路から栽培槽へ流れ込む養液の流速を安定させることができる水耕栽培装置を提供することである。
【課題を解決するための手段】
【０００７】
上記した課題を解決するために、本開示の一態様に係る水耕栽培装置は、植物に供給される養液が流れる流路を構成する栽培槽と、前記養液を貯留する養液槽と、前記養液槽から前記栽培槽へ前記養液を導く供給流路と、前記栽培槽から前記養液槽へ前記養液を導く排出流路と、前記供給流路および前記排出流路を経由して、前記養液槽と前記栽培槽との間で前記養液を循環させるポンプと、を備え、前記供給流路は、前記供給流路の外部空間と前記供給流路の内部空間とを連通させる通気経路を有し、前記通気経路は、前記供給流路から前記栽培槽へ流れ込む前記養液の流速の変化を抑制する。
【発明の効果】
【０００８】
本開示の水耕栽培装置によれば、供給流路から栽培槽へ流れ込む養液の流速を安定させることができる。
【図面の簡単な説明】
【０００９】
【図１】本開示の実施の形態の水耕栽培装置の全体構成を示す縦断面図である。
【図２】本開示の実施の形態１の水耕栽培装置の栽培槽の内部空間を説明するための斜視図である。
【図３】本開示の実施の形態１の水耕栽培装置の通気経路およびその周辺構造を示す部分切断図である。
【図４】本開示の実施の形態２の水耕栽培装置の通気経路およびその周辺構造を示す部分切断図である。
【図５】本開示の実施の形態３の水耕栽培装置の栽培槽の内部空間を説明するための斜視図である。
【図６】本開示の実施の形態４の水耕栽培装置の栽培槽の内部空間を説明するための斜視図である。
【図７】本開示の実施の形態５の水耕栽培装置の栽培槽の内部に設けられた支持部を説明するための斜視図である。
【図８】本開示の実施の形態５の水耕栽培装置の栽培槽の内部空間を説明するための斜視図である。
【発明を実施するための形態】
【００１０】
以下、図面を参照しながら、実施の形態の水耕栽培装置を説明する。
【００１１】
以下、図面を参照しながら、実施の形態の水耕栽培装置を説明する。以下の複数の実施の形態においては、同一の参照符号が付された部分同士は、図面上における形状に多少の相違があっても、特段の記載がない限り、互いに同一の機能を発揮するものとする。
【００１２】
（実施の形態１）
図１〜図３を用いて、実施の形態１の水耕栽培装置１００を説明する。
【００１３】
図１に示されるように、本実施の形態の水耕栽培装置１００は、多段式のラック２００を備えている。多段式のラック２００のそれぞれの段には、栽培槽１０６が載置されている。本実施の形態の水耕栽培装置１００は、土壌を使用せずに植物１０を栽培する。
【００１４】
植物１０は、塊茎類の一例のジャガイモであるものとする。植物１０は、塊茎１１と、塊茎１１から延びる主茎１２と、主茎１２の地下部から延びる根１３と、主茎１２の地上部に形成された葉１４と、を有している。ただし、植物１０は、ジャガイモ等の塊茎類だけでなく、サツマイモ等の塊根類を含めて、地下部として栄養体を成長させる他の植物であってもよい。
【００１５】
水耕栽培装置１００は、電源ボックス３００の電源を利用して、照明部１０１に光を植物１０へ照射させ、また、後述されるポンプ１０７を駆動する。植物１０の葉１４は、照明部１０１から照射された光によって光合成を行う。
【００１６】
水耕栽培装置１００は、栽培槽１０６を備えている。植物１０が栽培されているときは、栽培槽１０６は、その内部に養液５０を貯留している。植物１０の塊茎１１は、板状の支持部１０５によって支持されており、植物１０の根１３の先端部は、支持部１０５の根貫通孔１０５ａを通過して養液５０まで至っている。
【００１７】
本実施の形態の水耕栽培装置１００によれば、植物１０は、養液５０を吸収して成長することができる。また、新たに形成される塊茎（図示せず）等の植物１０の根１３以外の地下部に養液５０が付着することが、支持部１０５によって抑制されている。養液５０はポンプ１０７によって供給流路１０９を経由して複数の栽培槽１０６のそれぞれに供給される。
【００１８】
栽培槽１０６は、その上端開口の近傍に取り付けられた仕切部１０３を備えている。仕切部１０３は、植物１０の地上部が成長する地上空間１０２と、植物１０の地下部が成長する地下空間１０４とを区分している。地下空間１０４は、仕切部１０３と栽培槽１０６とによって囲まれている。
【００１９】
水耕栽培装置１００は、栽培槽１０６、養液槽１０８、供給流路１０９、排出流路１１０、ポンプ１０７、および流量調節部１２０を備えている。流量調節部１２０は、本実施の形態では、養液５０の流量をほぼ一定に維持する弁である。なお、図１では、２つの栽培槽１０６が上下方向に並べられている例が示されているが、３以上の栽培槽１０６が上下方向に並べられてもよい。
【００２０】
本実施の形態においては、複数の栽培槽１０６は、異なる高さ位置に設けられている。複数の栽培槽１０６のそれぞれは、養液５０が流れる流路の一部を構成している。養液槽１０８は、栽培槽１０６に供給される養液５０を貯留している。供給流路１０９は、養液槽１０８から複数の栽培槽１０６のそれぞれへ養液５０を導く。排出流路１１０は、複数の栽培槽１０６のそれぞれから養液槽１０８へ養液５０を導く。
【００２１】
ポンプ１０７は、養液槽１０８内に設けられ、養液槽１０８と複数の栽培槽１０６のそれぞれとの間で、供給流路１０９および排出流路１１０を経由して、養液５０を循環させる。
【００２２】
複数の流量調節部１２０のそれぞれは、供給流路１０９の幹流路１０９ａから分岐した複数の枝流路１０９ｂのそれぞれに設けられ、枝流路１０９ｂを流れる養液５０の流量を調節する。つまり、複数の流量調節部１２０は、複数の枝流路１０９ｂに１対１の関係で設けられている。本実施の形態においては、複数の流量調節部１２０は、複数の枝流路１０９ｂを流れる量同士を同一にするバルブである。
【００２３】
排出流路１１０においては、栽培槽１０６から排出された養液５０が、複数の枝管１１０ａを流れ、その後、幹管１１０ｂで合流する。養液５０は、排出流路１１０の幹管１１０ｂから養液槽１０８へ流れ込む。
【００２４】
そのため、複数の栽培槽１０６の高さ位置が異なっていることに起因して複数の枝流路１０９ｂのそれぞれを流れる養液５０に生じる圧力同士の間に差が生じても、単位時間あたりにほぼ同一の量の養液５０を複数の栽培槽１０６へ供給することができる。
【００２５】
ただし、複数の流量調節部１２０は、複数の栽培槽１０６での植物１０の栽培に適しているのであれば、複数の栽培槽１０６のそれぞれへ供給される養液５０の流量を異なるように調整してもよい。つまり、複数の流量調節部１２０は、複数の栽培槽１０６のそれぞれへ供給される養液５０の流量が複数の栽培槽１０６の高さに依存して決定されてしまうことを防止できるものであれば、いかなるものであってもよい。言い換えると、複数の流量調節部１２０は、複数の栽培槽１０６のそれぞれへ流れ込む養液５０の流量をどのような態様で調整してもよい。
【００２６】
一般に、養液５０の表面の高さは、植物１０の根１３の繁茂や植物１０から離反した植物１０の一部の組織の残渣の状態により変化する。そのため、栽培槽１０６内で養液５０の量が増加する場合がある。この場合、供給流路１０９の先端部が養液５０の表面よりもかなり下側に位置付けられると、養液５０の圧力の影響を受けることによって、供給流路１０９から栽培槽１０６の内部へ流れ込む養液５０の流速が低下する。しかしながら、図２および図３に示されるように、前述のような養液５０の流速の低下を抑制するように、本実施の形態においては、供給流路１０９は、供給流路１０９の外部空間から養液５０供給流路１０９の内部空間へ空気を導く通気経路ＶＰを有している。
【００２７】
言い換えると、前述の通気経路ＶＰは、供給流路１０９から栽培槽１０６へ流れ込む養液５０の流速の変化を抑制するように供給流路１０９の外部空間と供給流路１０９の内部空間とを連通させている。つまり、供給流路１０９を流れる養液５０の状態に応じて、外部の空気が、通気経路ＶＰを経由して、供給流路１０９内の空間へ流入したり、供給流路１０９内の空気が、通気経路ＶＰを経由して、外部へ流出したりする。
【００２８】
そのため、供給流路１０９における養液５０の流れが円滑になる。その結果、供給流路１０９から栽培槽１０６へ流れ込む養液５０の流速が安定する。また、供給流路１０９の外部空間から供給流路１０９の内部空間へ空気を導くことによって、養液５０中の酸素濃度が増加する。それにより、植物１０の根１３に供給できる酸素量が増加する。なお、通気経路ＶＰの構造は、供給流路１０９の外部空間と供給流路１０９の内部空間とを連通させることによって、供給流路１０９から栽培槽１０６へ流れ込む養液５０の流速の変化を抑制することができるものでれば、いかなるものであってもよい。
【００２９】
本実施の形態においては、供給流路１０９は、養液槽１０８から複数の栽培槽１０６のそれぞれへポンプ１０７によって養液５０を導くように、幹流路１０９ａと幹流路１０９ａから分岐した複数の枝流路１０９ｂとを有している。通気経路ＶＰは、複数の枝流路１０９ｂのそれぞれに設けられている。
【００３０】
一般に、複数の枝流路１０９ｂの近傍においては、植物１０の根１３の繁茂の状態および植物１０から離反した植物１０の一部の組織の残渣の状態にバラツキが生じる。そのため、１つのポンプ１０７から複数の栽培槽１０６のそれぞれへ養液５０を供給している場合には、前述の状態のバラツキに応じて、複数の枝流路１０９ｂのそれぞれから栽培槽１０６へ流れ込む養液５０の流速にバラツキが生じるおそれがある。
【００３１】
しかしながら、上記したように、複数の枝流路１０９ｂのそれぞれに通気経路ＶＰが設けられていれば、複数の枝流路１０９ｂのそれぞれから栽培槽１０６へ流れ込む養液５０の流速が安定する。そのため、養液５０の各栽培槽１０６への供給量の差が大きくなることを抑制することができる。つまり、複数の栽培槽１０６のそれぞれを流れる養液５０の量のバランスを維持することができる。その結果、複数の栽培槽１０６のうちのいずれか１つに養液５０が供給されなくなったり、複数の栽培槽１０６のうちのいずれか１つにおいて、植物１０の地下部が養液５０に浸ってしまったりすることが防止される。
【００３２】
また、通気経路ＶＰは、供給流路１０９における流量調節部１２０の下流に設けられている。そのため、流量が調整された後の養液５０の流速を安定化させることができる。その結果、より確実に養液５０の流速をほぼ一定値に維持することが可能になる。
【００３３】
図３に示されるように、本実施の形態の通気経路ＶＰは、枝流路１０９ｂの先端に設けられ、枝流路１０９ｂと枝流路１０９ｂよりも径が大きい先端流路１０９ｃとの間の隙間である。枝流路１０９ｂおよび先端流路１０９ｃは、供給流路１０９を構成している。供給流路１０９の先端部を構成する先端流路１０９ｃは、流路貫通孔１０５ｂに挿入されている。本実施の形態においては、先端流路１０９ｃの下端部は、養液５０の中に挿入されており、栽培槽１０６の底面から所定の距離を置くように位置付けられている。なお、流路貫通孔１０５ｂと先端流路１０９ｃとは、互いの間に生じる摩擦力で互いに固定されている。
【００３４】
本実施の形態においては、供給流路１０９を構成する枝流路１０９ｂおよび先端流路１０９ｃのいずれも、柔軟性を有するゴムからなるホースで構成されているものとする。ただし、枝流路１０９ｂおよび先端流路１０９ｃのいずれも、塩化ビニルパイプのような硬質の配管で構成されていてもよい。
【００３５】
一般に、供給流路１０９の先端部が養液５０の表面から大きく離れた高さ位置に設けられている場合には、供給流路１０９の先端部から養液５０の表面に向かって養液５０が落下すると、養液５０が表面から跳ね上がる。そのため、栽培槽１０６内で養液５０が散乱し、根１３以外の植物１０の地下部が養液５０で濡れてしまうことがある。この場合、植物１０の育成条件として好ましくない状況が生じてしまう。しかしながら、本実施の形態においては、先端流路１０９ｃは、流路貫通孔１０５ｂに挿入されており、かつ、供給流路１０９の下端部が支持部１０５の下側に位置付けられている。そのため、根１３以外の植物１０の地下部へ養液５０が飛散して付着することを支持部１０５によって抑制することができる。
【００３６】
図２に示されるように、栽培槽１０６の内部には、植物１０の地下部を支持し、植物１０の根１３を養液５０に浸すように貫通する根貫通孔１０５ａを有する支持部１０５が設けられている。支持部１０５は、植物１０の地下部が置かれた載置領域Ｘと供給流路１０９が貫通する流路貫通孔１０５ｂを有する孔周辺領域Ｙとを含んでいる。
【００３７】
なお、本実施の形態の水耕栽培装置１００の他の例として、図示されていないが、養液５０が、１つの養液槽１０８と１つの栽培槽１０６との間で、１つの排出流路１１０と１つの供給流路１０９とを経由して循環するものであってもよい。この場合、１つの流量調節部１２０は、１つの供給流路１０９に設けられている。このような水耕栽培装置１００であっても、上記した実施の形態の水耕栽培装置１００により得られる効果と同様の効果を得ることができる。
【００３８】
（実施の形態２）
図４を用いて、実施の形態２の水耕栽培装置１００を説明する。本実施の形態の水耕栽培装置１００は、以下に説明される事項が上記した実施の形態１の水耕栽培装置１００と異なっている。
【００３９】
図４に示されるように、本実施の形態においても、通気経路ＶＰは、枝流路１０９ｂの先端の近傍に設けられ、所定の内径を有する枝流路１０９ｂと枝流路１０９ｂの所定の内径よりも大きい内径を有する先端流路１０９ｃとの間の隙間である。また、供給流路１０９は、流路貫通孔１０５ｂに挿入されている。ただし、先端流路１０９ｃと枝流路１０９ｂとは連結部材１０９Ｘ，１０９Ｙによって互いに連結されている。流路貫通孔１０５ｂと先端流路１０９ｃとの間には隙間、すなわち通気経路ＶＰが残存している。これによっても、供給流路１０９から栽培槽１０６へ流れ込む養液５０の流速が安定する。また、支持部１０５によって、植物１０の地下部へ養液５０が飛散して付着することを抑制することができる。その結果、植物１０の地下部が養液５０の付着による悪影響を受けることを防止することができる。
【００４０】
（実施の形態３）
図５を用いて、実施の形態３の水耕栽培装置１００を説明する。本実施の形態の水耕栽培装置１００は、以下に説明される事項が上記した実施の形態１の水耕栽培装置１００と異なっている。
【００４１】
図５に示されるように、通気経路ＶＰは、栽培槽１０６の内部に位置付けられ、供給流路１０９の先端部を構成する枝流路１０９ｂに設けられた通気配管部１０９ｄである。通気配管部１０９ｄは、枝流路１０９ｂの折れ曲がり部から上方に延びる円筒状の部分である。このような構成であれば、極めて簡単な構成で、通気経路ＶＰを実現することができる。通気経路ＶＰとしての通気配管部１０９ｄは、流量調節部１２０の下流であれば、枝流路１０９ｂのいずれの位置に設けられていてもよい。通気配管部１０９ｄは、枝流路１０９ｂを構成する配管部の一部を貫通する貫通孔であってもよい。
【００４２】
（実施の形態４）
図６を用いて、実施の形態４の水耕栽培装置１００を説明する。本実施の形態の水耕栽培装置１００は、以下に説明される事項が上記した実施の形態１の水耕栽培装置１００と異なっている。
【００４３】
図６に示されるように、栽培槽１０６の内部には、植物１０の地下部を支持し、植物１０の根１３を養液５０に浸すように貫通する根貫通孔１０５ａを有する支持部１０５が設けられている。支持部１０５は、植物１０の地下部が置かれた載置領域Ｘと供給流路１０９が貫通する流路貫通孔１０５ｂを有する孔周辺領域Ｙとを含んでいる。供給流路１０９の先端部は、上方から下方に向かって流路貫通孔１０５ｂに挿入されている。
【００４４】
図６に示されるように、水耕栽培装置１００においては、栽培槽１０６の内部において、支持部１０５の下側に設けられ、平面視において、供給流路１０９側と植物１０の根１３が存在する側とを仕切るように鉛直に延びるフィルタＦを備えている。フィルタＦは、植物１０の一部または植物１０から離反した植物１０の一部の組織が供給流路１０９の先端開口から供給流路１０９の内部へ進入することを抑制する。つまり、フィルタＦの多数の孔のそれぞれは、養液５０を通過させるが、植物１０の一部または植物１０から離反した植物１０の一部の組織を通過させない程度の大きさを有している。
【００４５】
本実施の形態の水耕栽培装置１００によれば、供給流路１０９から流れ出た養液５０の流れが植物１０の一部、たとえば、根１３、または植物１０から離反した植物１０の一部の組織によって遮られることが抑制される。その結果、栽培槽１０６へ養液５０を導く供給流路１０９を流れる養液５０の流速を安定させ易くなる。この場合、水耕栽培装置１００は、少なくとも孔周辺領域Ｙが透明材料で構成されている。これによれば、供給流路１０９の先端の状況を把握し易くなる。
【００４６】
なお、透明な孔周辺領域Ｙは、載置領域Ｘから取り外すことができるように独立した部材によって構成されていることが好ましい。それにより、供給流路１０９の先端の近傍の養液５０中に滞留している不要な異物を除去したり、供給流路１０９の先端の近傍の清掃を行ったりすることが容易になる。
【００４７】
（実施の形態５）
図７および図８を用いて、実施の形態５の水耕栽培装置１００を説明する。本実施の形態の水耕栽培装置１００は、以下に説明される事項が上記した実施の形態１の水耕栽培装置１００と異なっている。
【００４８】
図７および図８に示されるように、孔周辺領域Ｙと載置領域Ｘとは、蝶番１０５ｃによって接続されている。そのため、本実施の形態の水耕栽培装置１００においては、孔周辺領域Ｙが、孔周辺領域Ｙ以外の領域、たとえば、載置領域Ｘに対して、蝶番１０５ｃの回転軸まわりに回動することによって、開閉可能な扉構造を有している。本実施の形態の水耕栽培装置１００は、この点のみが図６に示される実施の形態４の水耕栽培装置１００と異なっている。
【００４９】
本実施の形態の水耕栽培装置１００によれば、図７に示されるように、載置領域Ｘを固定した状態で、孔周辺領域Ｙを回動させることができる。孔周辺領域Ｙの下側の栽培槽１０６の底面の近傍の空間を開放することができる。それにより、供給流路１０９の先端の近傍に蓄積している不要な異物を除去したり、供給流路１０９の先端の近傍の清掃を行ったりすることが容易になる。なお、孔周辺領域Ｙは、扉構造を有している場合においても、供給流路１０９の先端の近傍の状況を容易に把握できるように、透明材料で構成されていることが好ましい。
【００５０】
次に、実施の形態の水耕栽培装置１００の特徴的構成およびそれにより得られる効果を記載する。
【００５１】
（１）  水耕栽培装置１００は、栽培槽１０６、養液槽１０８、供給流路１０９、排出流路１１０、およびポンプ１０７を備えている。栽培槽１０６は、植物１０に供給される養液５０が流れる流路を構成する。養液槽１０８は、養液５０を貯留する。供給流路１０９は、養液槽１０８から栽培槽１０６へ養液５０を導く。排出流路１１０は、栽培槽１０６から養液槽１０８へ養液５０を導く。ポンプ１０７は、供給流路１０９および排出流路１１０を経由して、養液槽１０８と栽培槽１０６との間で養液５０を循環させる。供給流路１０９は、供給流路１０９の外部空間と供給流路１０９の内部空間とを連通させる通気経路ＶＰを有している。通気経路ＶＰは、供給流路１０９から栽培槽１０６へ流れ込む養液５０の流速の変化を抑制する。これによれば、供給流路１０９から栽培槽１０６へ流れ込む養液５０の流速を安定させることができる。
【００５２】
（２）  栽培槽１０６は、複数あってもよい。供給流路１０９は、養液槽１０８から複数の栽培槽１０６のそれぞれへポンプ１０７によって養液５０を導くように、幹流路１０９ａと幹流路１０９ａから分岐した複数の枝流路１０９ｂとを有していてもよい。通気経路ＶＰは、複数の枝流路１０９ｂのそれぞれに設けられていてもよい。これによれば、複数の栽培槽１０６のそれぞれを流れる養液５０の量のバランスを維持することができる。
【００５３】
（３）  水耕栽培装置１００は、栽培槽１０６の内側には、植物１０の地下部を支持するように設けられた支持部１０５をさらに備えていてもよい。支持部１０５は、植物１０から延びる根１３が養液５０に到達するように設けられた根貫通孔１０５ａと、供給流路１０９の先端部が挿入されるように設けられた流路貫通孔１０５ｂとを有していてもよい。これによれば、支持部１０５によって植物１０の地下部へ養液５０が飛散して付着することを抑制することができる。その結果、植物１０の地下部が養液５０の付着による悪影響を受けることを防止することができる。
【００５４】
（４）  支持部１０５は、根貫通孔１０５ａの周辺の載置領域Ｘと、流路貫通孔１０５ｂの周辺の孔周辺領域Ｙと、を含んでいてもよい。この場合、少なくとも孔周辺領域Ｙが透明材料で構成されていてもよい。これによれば、供給流路１０９の先端の状況を把握し易くなる。
【００５５】
（５）  支持部１０５は、根貫通孔１０５ａの周辺の載置領域Ｘと、流路貫通孔１０５ｂの周辺の孔周辺領域Ｙと、を含んでいてもよい。この場合、孔周辺領域Ｙが孔周辺領域Ｙ以外の領域に対して開閉可能な扉構造を有していてもよい。これによれば、供給流路１０９の先端の近傍の清掃等の維持管理を容易に行うことが可能になる。
【００５６】
（６）  栽培槽１０６の内部において、植物１０の一部または植物１０から離反した植物１０の一部の組織が供給流路１０９の先端開口から供給流路１０９の内部へ進入することを抑制するフィルタＦをさらに備えていることが好ましい。これによれば、供給流路１０９から栽培槽１０６へ流れ込む養液５０の流れが植物１０の一部または植物１０から離反した植物１０の一部の組織によって遮られることが抑制される。
【００５７】
（７）  供給流路１０９は、供給流路１０９を流れる養液５０の流量を調整する流量調節部１２０を含んでいてもよい。この場合、通気経路ＶＰは、供給流路１０９における流量調節部１２０の下流に設けられていることが好ましい。これによれば、流量が調整された後の養液５０の流速を安定化させることができる。したがって、供給流路１０９から栽培槽１０６へ流れ込む養液５０の流速を安定させ易くなる。
【００５８】
本出願は、２０１７年１２月１３日に出願された日本出願の特願２０１７−２３８２６０号に基づく優先権を主張し、当該日本出願に記載された全ての記載内容を参照によって援用するものである。
【符号の説明】
【００５９】
１０  植物
５０  養液
１００  水耕栽培装置
１０５ａ  根貫通孔
１０５ｂ  流路貫通孔
１０６  栽培槽
１０７  ポンプ
１０８  養液槽
１０９  供給流路
１０９ｂ  枝流路
１０９ｄ  通気配管部
１１０  排出流路
１２０  流量調節部
Ｆ  フィルタ
Ｘ  載置領域
Ｙ  孔周辺領域
ＶＰ  通気経路
【図１】
2019116999.tif 000003
【図２】
2019116999.tif 000004
【図３】
2019116999.tif 000005
【図４】
2019116999.tif 000006
【図５】
2019116999.tif 000007
【図６】
2019116999.tif 000008
【図７】
2019116999.tif 000009
【図８】
2019116999.tif 000010
【国際調査報告】
2019116999.tif 000011
2019116999.tif 000012
2019116999.tif 000013
2019116999.tif 000014